(57)【要約】【課題】室外ユニットの外観を損なうことなく、また電気品部に雨水等水滴の侵入することのない空気調和機の室外ユニットを提供する。【解決手段】筐体内部に圧縮機を内蔵した機械室と、送風機を内蔵した風回路室と、電装品類を内蔵した電装品部とから構成され、前記送風機により誘引され、前記風回路室を経由して本体外部に排出される前記電装品部を冷却するための外気を導入する外気通風口と、前期外気通風口の上方に位置し、筐体内部に向かって伸びる遮水片を設けたものである。【選択図】図１
2006200807.tif 000002
【特許請求の範囲】
【請求項１】
筐体内部に圧縮機を内蔵した機械室と、送風機を内蔵した風回路室と、電装品類を内蔵した電装品部とから構成され、前記送風機により誘引され、前記風回路室を経由して本体外部に排出される前記電装品部を冷却するための外気を導入する外気通風口と、前期外気通風口の上方に位置し、側板の一部を伸延させて筐体内部に向かう遮水片を設けたことを特徴とする空気調和機の室外ユニット。
【請求項２】
遮水片の先端を下方へ折曲したことを特徴とする、請求項１記載の空気調和機の室外ユニット。
【請求項３】
遮水片の先端を筐体内部の構造体の断面形状に沿って形成したことを特徴とする、請求項１記載の空気調和機の室外ユニット。
【発明の詳細な説明】
【技術分野】
【０００１】
本発明は空気調和機の室外ユニットに関するもので、より詳しくは電装品の冷却用外気導入のための通風口の構造に関するものである。
【背景技術】
【０００２】
近年、筐体内に電気部品を有する空気調和機の室外ユニットは、筐体外から水滴が侵入しこれらが電気部品に付着することによる絶縁不良や導通異常が発生し、電気部品の動作が不確実になって故障を起す恐れがあり、電気部品近傍への水滴の侵入を防止し、信頼性を高める構造の確立が求められている。
【０００３】
以下に、従来の空気調和機の室外ユニットの構成を図５を用いて説明する。
【０００４】
図５において、空気調和機の室外ユニット1は、外箱２及び基板３で形成され、内部にファン４を内蔵する風回路室５と、圧縮機６を内蔵する機械室７が設けられ、これらが仕切板８にて隔てられている。
【０００５】
機械室７には圧縮機６の上方に電装品類を搭載した周囲を開放して成る電装品部９が仕切板８及び外箱２にネジ等にて固定されている。
【０００６】
外箱２は、電装品部９の下方に外気導入路として風回路室５を経由させて本体外部に排出される電装品部９を冷却するための外気を導入する外気通風口１０を設けて構成している（例えば、特許文献１参照）。
【特許文献１】特開平１０−２６７３２５号公報
【発明の開示】
【発明が解決しようとする課題】
【０００７】
しかしながら上記従来の空気調和機の室外ユニットの構成では、圧縮機６の運転により発生した熱、及び電装品部９にて発生した熱は、空気調和機の運転を制御する電装品部９に溜まり、電装品類を高温にさらし破壊してしまう恐れがあるため、送風機４が運転することによる送風誘引力により外気が外気通風口１０から導入され、機械室７を経由して電装品部９を通り電装品類を冷却した後、仕切板８の通風口（図示せず）を通って外部へ排出されるが、外気通風口１０から雨天時には雨水が、また本体清掃時等の注水よる水道水が侵入し、電装品部９へ飛散して電装品類に付着することにより絶縁不良等、故障の原因となっていた。
【０００８】
本発明は、上記従来の課題を解決するもので、安価な構成で、電装品類への水滴の付着を防止し、信頼性の高い空気調和機の室外ユニットを提供することを目的とするものである。
【課題を解決するための手段】
【０００９】
上記従来の課題を解決するために、本発明の空気調和機の室外ユニットは、筐体内部に圧縮機を内蔵した機械室と、送風機を内蔵した風回路室と、電装品類を内蔵した電装品部とから構成され、前記送風機により誘引され、前記風回路室を経由して本体外部に排出される前記電装品部を冷却するための外気を導入する外気通風口と、前期外気通風口の上方に位置し、側板の一部を伸延させて筐体内部に向かう遮水片を設けているので、外気通風口より侵入した雨水や水道水は本体内へ侵入した直後に前記遮水片により遮蔽されるため、電装品類に水滴が付着することがない。
【発明の効果】
【００１０】
本発明の空気調和機の室外ユニットは、安価で簡単な構成で電装品部の冷却効果を損なうことなく確実に電装品類への水滴の付着が防止できるものである。
【発明を実施するための最良の形態】
【００１１】
第１の発明は、筐体内部に圧縮機を内蔵した機械室と、送風機を内蔵した風回路室と、電装品類を内蔵した電装品部とから構成され、前記送風機により誘引され、前記風回路室を経由して本体外部に排出される前記電装品部を冷却するための外気を導入する外気通風口と、前期外気通風口の上方に位置し、筐体内部に向かって伸びる遮水片を設けたもので、雨天時の雨水や、本体清掃時等の注水よる水道水が外気通風口より本体内へ侵入した場合には、直後に遮水片により上方への水滴の飛散が遮蔽されるため、電装品部への水滴の付着が防止できる。
【００１２】
第２の発明は、特に第１の発明の遮水片の先端を下方へ折曲したもので、遮水片の強度が向上すると共に、雨水や水道水が勢いよく外気通風口より本体内へ侵入した場合でも、遮水片の先端部で本体下方へ導かれることから、確実に電装品部への水滴の付着が防止できる。
【００１３】
第３の発明は、特に第１の発明の遮水片の先端を筐体内部の構造体の断面形状に沿って形成したもので、遮水片と構造体との隙間がなくなることから、より確実に電装品部への水滴の付着が防止できる。
【００１４】
以下、本発明の実施の形態について図面を参照しながら説明する。なお、この実施の形態によって本発明が限定されるものではない。
【００１５】
（実施の形態１）
図１は、本発明の第１の実施の形態における空気調和機の室外ユニットの分解斜視図で、図２は、同室外ユニットの要部断面図である
図１、図２において、室外ユニット１１は内部を仕切板１２によって左右に仕切られその片側にファン１３を内蔵する風回路室１４が、もう片側に圧縮機１５を内蔵する機械室１６とで構成されている。機械室１６には圧縮機１５の上方に電装品類１７を搭載し周囲を開放して成る電装品部１８が仕切板１２と右側板１９とにまたがってネジ等で固定されている。
【００１６】
右側板１９の下方には、外気を導入する複数の外気通風口２０を形成した下側板２１が配置され、右側板１９の下端は外気通風口２０の上方に位置し外気通風口２０の幅方向を覆い先端が内部日向かって伸びる遮水片１９ａが形成されている。
【００１７】
以上のように構成された空気調和機の室外ユニットにおいて、電装品類１７に対する冷却作用を説明する。
【００１８】
圧縮機１５の運転により発生した熱および電装品類１７の発熱により発生した熱は、機械室１６上方の電装品部１８に溜まるが、送風機４が運転することによる送風誘引力により外気が外気通風口１０から導入され、機械室７を経由して電装品部９を通り電装品類を冷却した後、仕切板８の通風口（図示せず）を通って外部へ排出される。
【００１９】
この時、外気通風口２０の上方は全幅方向に渡り遮水片１９ａにより覆われているため、外気の導入と共に雨天時による雨水、また本体清掃時等の注水による水滴が外気通風口２０より侵入しても、侵入直後に遮水片１９ａにより遮蔽され、電装品部１８の冷却効果
を損なうことなく伝送品類１７への水滴の付着が防止できる。
【００２０】
（実施の形態２）
図３は、本発明の第２の実施の形態における空気調和機の室外ユニットの要部断面図である。なお、上記実施の形態と同一部分については同一符号を付してその説明を省略する。
【００２１】
本実施の形態では、遮水片１９ａの先端を下方へ折曲して形成しているので、遮水片の強度が向上すると共に、雨水や水道水が勢いよく外気通風口より本体内へ侵入した場合でも、遮水片の先端部で本体下方へ導かれることから、確実に電装品部への水滴の付着が防止できるする。
【００２２】
（実施の形態３）
図４は、本発明の第３の実施の形態における空気調和機の室外ユニットの要部断面図である。
【００２３】
なお、上記実施の形態と同一部分については同一符号を付してその説明を省略する。
【００２４】
本実施の形態では、遮水片の先端を筐体内部の構造体の断面形状に沿って形成しているので、遮水片と構造体との隙間がなくなることから、より確実に電装品部への水滴の付着が防止できるする。
【産業上の利用可能性】
【００２５】
以上のように、本発明に係る空気調和機の室外ユニットは、安価な構成で確実に、しかも簡単に電装品部への水滴の侵入が防止できるので、電装品類による発熱を抑制する外気通風口を有する各種機器、装置にも適用できるものである。
【図面の簡単な説明】
【００２６】
【図１】本発明の実施の形態１における空気調和機の室外ユニットの分解斜視図
【図２】同室外ユニットの要部縦断面図
【図３】本発明の実施の形態２における空気調和機の室外ユニットの要部縦断面図
【図４】本発明の実施の形態３における空気調和機の室外ユニットの要部横断面図
【図５】従来の空気調和機の室外ユニットの分解斜視図
【符号の説明】
【００２７】
１３  送風機
１４  風回路室
１５  圧縮機
１６  機械室
１７  電装品類
１８  電装品部
１９  側板
１９ａ  遮水片
２０  外気通風口
２２  構造体
【図１】
2006200807.tif 000003
【図２】
2006200807.tif 000004
【図３】
2006200807.tif 000005
【図４】
2006200807.tif 000006
【図５】
2006200807.tif 000007